(57)【要約】      （修正有）【課題】前面パネルの裏面に表示部が固定され、前面パネルの表面に表示窓部が貼付された電子機器において、剥離部材を用いることなく表示窓部を容易にパネルから剥離させることができる電子機器を提供する。【解決手段】  筐体と、筐体の前面に固定され前後に貫通する貫通孔を備えるパネル２と、パネルの裏面に固着し貫通孔と異なる位置に前後へ貫通する孔７０１を備える円筒部７と、貫通孔の後方に配設され前後に貫通する孔を備える基板６０１を備える表示部６と、基板の孔６０２を介して円筒部の孔に締結されることにより表示部をパネルに固定する雄ネジ９と、雄ネジが基板の孔を介して円筒部の孔に締結されるとき表示窓及び雄ネジの先端の間に位置し、雄ネジが基板の孔を介さずに円筒部の孔に締結されるとき表示窓を押し出すシャフト８と、透明部材から成り貫通孔及び円筒部の孔を覆ってパネルに貼付される表示窓部４とを備える。【選択図】図４
2006019681.tif 000002
【特許請求の範囲】
【請求項１】
箱型を成し内部に電子回路を固定する筐体と、前記筐体の前面に固定され前後に貫通する貫通孔を備えるパネルと、前記パネルの裏面に固着し前記貫通孔と異なる位置に前後へ貫通する孔を備える円筒部と、前記貫通孔の後方に配設され前後に貫通する孔を備える基板を備え前記電子回路の動作に関する情報を表示する表示部と、前記基板の孔を介して前記円筒部の孔に締結されることにより前記表示部を前記パネルに固定する雄ネジと、前記円筒部の孔に挿入され前後方向へスライドし、前記雄ネジが前記基板の孔を介して前記円筒部の孔に締結されるとき前記表示窓及び前記雄ネジの先端の間に位置し、前記雄ネジが前記基板の孔を介さずに前記円筒部の孔に締結されるとき前記表示窓を押し出すシャフトと、透明部材から成り前記貫通孔及び前記円筒部の孔を覆って前記パネルに貼付される表示窓部とを備えることを特徴とする電子機器。
【請求項２】
請求項１記載の電子機器において、
前記表示部は、前記基板の前面に前記孔と連通し前記円筒部の外径より小さく前記雄ネジの外径より大きい内径を有する凹部を備えることを特徴とする電子機器。
【発明の詳細な説明】
【技術分野】
【０００１】
本発明は、前面パネルの裏面に表示部が固定され、前面パネルの表面に表示窓部が貼付された電子機器に関する。
【背景技術】
【０００２】
従来の電子機器として、オーディオ信号記録装置を例に挙げ説明する。
図５は、従来のオーディオ信号記録装置の一例を示す斜視図である。
オーディオ信号記録装置１００は、表示窓部４、筐体５、表示部６、雄ネジ９、前面パネル部２００、図示しない入力部、出力部、記録部及び信号処理部を備える。
【０００３】
筐体５は、前方が開口する箱型を成す。前面パネル部２００は、薄い直方体を形成し、図示しないネジによって筐体５の前面に固定される。
【０００４】
前面パネル部２００は、前面に凹状を成す開口部２０１を備える。開口部２０１は、前面パネル部２００の前面よりも凹状に形成された平面部２０２を備える。平面部２０２の内側には、前後に貫通する貫通孔２０３を備える。前面パネル部２００の裏面には、円筒部７００が固着されている。円筒部７００は、後方へ開口する孔７１０を備える。
【０００５】
表示部６は、裏面に薄い板状を成す基板６０１を備える。基板６０１は、前後に貫通する孔６０２を備える。雄ネジ９は、前端を基板６０１の孔６０２と円筒部７００の孔７１０へ挿入し、ネジ頭部を回転させることによって孔７１０の内壁にネジ山が形成されながら孔７１０に挿入される。表示部６は、基板６０１が円筒部７００の裏面と雄ネジ９のネジ頭部に狭持されることによって、前面パネル部２００に固定される。
【０００６】
表示窓部４は、透明なアクリル部材等から成り、直方体の形状に加工されている。また、表示窓部４の裏面の外周部分には、両面粘着テープ４０１が貼付されている。表示窓部４は、その水平方向の長さ及び垂直方向の長さが開口部２０１の水平方向の長さ及び垂直方向の長さより小さい。表示窓部４は、その表面に貼付された両面粘着テープ４０１が開口部２０１の平面部２０２に粘着することにより前面パネル部２００に固定される。
【０００７】
入力部は、図示しない導電ケーブルを介して他の装置から出力されたオーディオ信号を入力し、記録部へ出力する。記録部は、入力部からのオーディオ信号を記録する。出力部は、図示しない導電ケーブルを介して記録部に記録されたオーディオ信号を他の装置へ出力する。信号処理部は、記録部に記録されたオーディオ信号の記録時間を演算し、記録時間を示す情報を記録時間信号として表示部６へ出力する。表示部６は、信号処理部からの記録時間信号に応じて、記録時間を示す情報を表示する。表示部６によって表示された記録時間を示す情報は、表示窓部４を介してユーザに視認される。
【０００８】
以上により、オーディオ信号記録装置１００は、他の装置から入力したオーディオ信号を記録し、記録したオーディオ信号の記録時間等の情報を表示窓部４を介して表示する。
【０００９】
近年、環境保全のために、電子機器等に用いた資材を有効利用するための資材リサイクル活動が高まりつつある。電子機器を構成する複数の種類の部材をリサイクル活用する場合、それぞれの部材を分離し回収する作業が必要になる。
【００１０】
従来のオーディオ信号記録装置１００の表示窓部４をリサイクル活用する場合、表示窓部４を前面パネル部２００から剥離することが必要となる。両面粘着テープ４０１によって貼付された表示窓部４を剥離するためには、両面粘着テープ４０１が表示窓部４と前面パネル部２００とを固定する粘着力よりも大きな力を表示窓部４へ加える必要がある。
【００１１】
このような、パネルの表面に貼付された表示窓部などの板状の部材を剥離する方法として、予めケースの裏面に備えた袋穴をドライバー等によって切断し、当該板状の部材の裏面を前方へ押圧することによって剥離する方法が知られている（例えば、特許文献１参照。）。このように、パネルの表面に貼付した板状の部材を剥離する場合は、両面粘着テープの粘着力よりも大きな力により板状の部材を前方へ押圧することによって、パネルへ固定された板状の部材を剥離することができる。
【００１２】
図６は、従来のオーディオ信号記録装置１００の前面パネル部２００及び表示窓部４を示す図で、図６（ａ）は、円筒部７００から表示部６を取り外した後、前面パネル部２００に表示窓部４が貼付されている状態を示す断面図、図６（ｂ）は、図６（ａ）の状態から表示窓部４を前面パネル部２００から剥離する様子を示す断面図である。
【００１３】
図６（ａ）に示すように、表示窓部４は、両面粘着テープ４０１による粘着力により、前面パネル部２００に固定されている。
【００１４】
表示窓部４を前面パネル部２００から剥離する場合は、図６（ｂ）に示すように棒状を成す剥離部材２０を用いる。前面パネル部２００から表示窓部４を剥離するには、前面パネル部２００の裏面に剥離部材２０を当接し、剥離部材２０を前方へ押圧する。剥離部材２０の押圧力が両面粘着テープ４０１の粘着力より大きくなると、図６（ｂ）に示すように、両面粘着テープ４０１は、平面部２０２から剥がれ、表示窓部４は前面パネル部２００から剥離する。
【００１５】
【特許文献１】特開平７−１３１１６２号公報
【発明の開示】
【発明が解決しようとする課題】
【００１６】
しかしながら、特許文献１に開示されている表示窓部４の剥離方法では、表示窓部４と前面パネル部２００を粘着している両面粘着テープ４０１の粘着力が大きい場合、表示窓部４を剥離するためには、剥離部材２０の先端を表示窓部４の裏面に当接させ、両面粘着テープ４０１の粘着力より大きな力で表示窓部４を押圧する必要があり、この押圧作業が困難となる。また、前面パネル部２００から表示窓部４を剥離するためには、このような図６（ｂ）に示すような剥離部材２０が必要であるため、例えば、剥離部材２０を紛失してしまった場合、この剥離部材２０の代用となる部材を調達して、表示窓部４の剥離作業を行なわなければならず、剥離作業に手間が掛かってしまう。
【００１７】
本発明は、前面パネルの裏面に表示部が固定され、前面パネルの表面に表示窓部が貼付された電子機器において、剥離部材を用いることなく表示窓部を容易にパネルから剥離させることができる電子機器を提供することを目的とする。
【課題を解決するための手段】
【００１８】
本願の請求項１記載の発明は、電子機器において、箱型を成し内部に電子回路を固定する筐体と、前記筐体の前面に固定され前後に貫通する貫通孔を備えるパネルと、前記パネルの裏面に固着し前記貫通孔と異なる位置に前後へ貫通する孔を備える円筒部と、前記貫通孔の後方に配設され前後に貫通する孔を備える基板を備え前記電子回路の動作に関する情報を表示する表示部と、前記基板の孔を介して前記円筒部の孔に締結されることにより前記表示部を前記パネルに固定する雄ネジと、前記円筒部の孔に挿入され前後方向へスライドし、前記雄ネジが前記基板の孔を介して前記円筒部の孔に締結されるとき前記表示窓及び前記雄ネジの先端の間に位置し、前記雄ネジが前記基板の孔を介さずに前記円筒部の孔に締結されるとき前記表示窓を押し出すシャフトと、透明部材から成り前記貫通孔及び前記円筒部の孔を覆って前記パネルに貼付される表示窓部とを備えることを特徴とする。
【００１９】
本願の請求項２記載の発明は、請求項１記載の電子機器において、前記表示部は、前記基板の前面に前記孔と連通し前記円筒部の外径より小さく前記雄ネジの外径より大きい内径を有する凹部を備えることを特徴とする。
【発明の効果】
【００２０】
本発明の電子機器によれば、前面パネルの裏面に表示部が固定され、前面パネルの表面に表示窓部が貼付された電子機器において、剥離部材を用いることなく、表示窓部を容易にパネルから剥離させることができる電子機器を提供することができる。
【００２１】
また、本発明の電子機器によれば、前面パネルの裏面に表示部が固定され、前面パネルの表面に表示窓部が貼付された電子機器において、前面パネルに固定された表示部を離脱させることなく、表示窓部をパネルから剥離させることができる電子機器を提供することができる。
【発明を実施するための最良の形態】
【００２２】
本発明の実施の形態を図面を参照して説明する。なお、従来技術で示した構成要素と同一の部分については同符号を用いる。
【００２３】
本発明の電子機器の一実施例として、オーディオ信号記録装置を例に挙げ説明する。
図１は、本発明の一実施例のオーディオ信号記録装置を示す斜視図である。
図２は、本実施例のオーディオ信号記録装置の前面パネル部、表示窓部及び表示部を示す斜視図である。
【００２４】
オーディオ信号記録装置１は、前面パネル部２、表示窓部４、筐体５、表示部６、シャフト８、雄ネジ９、図示しない入力部、出力部、記録部及び信号処理部を備える。
筐体５は、前方が開口する箱型を成す。前面パネル部２は、薄い直方体を形成し、図示しないネジによって筐体５の前面に固定される。
【００２５】
前面パネル部２は、前面に凹状を成す開口部２０１を備える。開口部２０１は、前面パネル部２の前面よりも凹状に形成された平面部２０２を備える。平面部２０２の内側には、前後に貫通する貫通孔２０３を備える。前面パネル部２の裏面には、円筒部７が固着されている。円筒部７は、前後に貫通する孔７０１を備える。シャフト８は、外径が孔７０１の内径より小さい円筒型を成し、孔７０１へ挿入される。シャフト８は、孔７０１の内壁を自在にスライドする。
【００２６】
図３は、前面パネル部２へ表示窓部４が貼付され、表示部６が円筒部７へ固定されている状態を示す断面図である。
【００２７】
図２及び図３に示すように、表示部６は、裏面に薄い板状を成す基板６０１を備える。基板６０１は、前後に貫通する孔６０２を備える。
【００２８】
基板６０１は、前面に孔６０２と連通する凹部６０３を備える。基板６０１は、凹部６０３が形成されることにより、基板６０１の厚さより薄い厚さである円盤部６０４が形成される。凹部６０３の内径は、円筒部７の外径より小さく、雄ネジ９のネジ頭部の外径よりも大きい。
【００２９】
雄ネジ９は、前端を基板６０１の孔６０２と円筒部７の孔７０１へ挿入し、ネジ頭部を回転させることによって孔７０１の内壁にネジ山が形成されながら孔７０１に挿入される。図３に示すように、シャフト８は、その前後方向の長さが前面パネル部２に固定された表示窓部４の裏面から孔７０１に締結された雄ネジ９の先端までの長さより僅かに小さい。表示部６は、基板６０１が円筒部７の裏面と雄ネジ９のネジ頭部に狭持されることによって、前面パネル部２に固定される。
【００３０】
表示窓部４は、透明なアクリル部材等から成り、直方体の形状に加工されている。また、表示窓部４の裏面の外周部分には、両面粘着テープ４０１が貼付されている。表示窓部４は、その水平方向の長さ及び垂直方向の長さが開口部２０１の水平方向の長さ及び垂直方向の長さより小さい。表示窓部４は、その表面に貼付された両面粘着テープ４０１が開口部２０１の平面部２０２に粘着することにより前面パネル部２００に固定される。表示部６は、貫通孔２０３の後方となる位置に配設される。
【００３１】
入力部は、図示しない導電ケーブルを介して他の装置から出力されたオーディオ信号を入力し、記録部へ出力する。記録部は、入力部からのオーディオ信号を記録する。出力部は、図示しない導電ケーブルを介して記録部に記録されたオーディオ信号を他の装置へ出力する。信号処理部は、記録部に記録されたオーディオ信号の記録時間を演算し、記録時間を示す情報を記録時間信号として表示部６へ出力する。表示部６は、信号処理部からの記録時間信号に応じて、記録時間を示す情報を表示する。表示部６によって表示された記録時間を示す情報は、表示窓部４を介してユーザに視認される。
【００３２】
以上により、オーディオ信号記録装置１は、他の装置から入力したオーディオ信号を記録し、記録したオーディオ信号の記録時間等の情報を表示窓部４を介して表示する。
【００３３】
図４は、図３に示す状態から表示窓部４を前面パネル部２から剥離する様子を示す断面図である。
【００３４】
表示窓部４を前面パネル部２から剥離する場合は、図３に示す状態から、円筒部７に表示部６を固定するのに必要なねじ込み力よりも更に大きなねじ込み力でネジ頭部を回転させ、孔７０１へ雄ネジ９をねじ込む。すると、図４に示すように、円盤部６０４は雄ネジ９のネジ頭部が前方へ押圧される力によって押圧され、ネジ頭部の外周より外側へ折れ曲がる。円盤部６０４が折れ曲がることにより、円筒部７の裏面と雄ネジ９のネジ頭部との間には、基板６０１が介在しなくなり、雄ネジ９は、図３に示す状態と比較して、基板６０１の厚み分深くねじ込むことが可能となる。このとき、シャフト８の長さは、図３に示すように、前面パネル部２に固定された表示窓部４の裏面から孔７０１に締結された雄ネジ９の先端までの長さより僅かに小さいことから、図４に示すように、基板６０１が円筒部７と雄ネジ９のネジ頭部と間に介在していたときより雄ネジ９が深くねじ込まれると、シャフト８の後端に雄ネジ９の先端が当接し、更に、シャフト８を前方へ押圧する。
【００３５】
シャフト８は、雄ネジ９のねじ込み力により、前方へスライドし、表示窓部４の裏面に当接した後、更に表示窓部４を前方へ押圧する。すると、図４に示すように、両面粘着テープ４０１は、平面部２０２から剥がれ、表示窓部４は前面パネル部２から剥離する。
【００３６】
以上の構成により、本実施例のオーディオ信号記録装置１は、表示部６が円筒部７に固定された状態で、雄ネジ９を更に孔７０１へねじ込むことによって、円盤部６０４が外側へ折れ曲がり、シャフト８が表示窓部４の裏面を前方へ押圧し、前面パネル部２から表示窓部４を剥離させることができる。このことにより、表示窓部４を前面パネル部２から剥離させるための剥離部材を用いる必要がなく、表示窓部４の剥離作業を簡単に行なうことができる。
【００３７】
本実施例のオーディオ信号記録装置１は、円筒部７に表示部６を固定するのに必要なねじ込み力よりも大きなねじ込み力で雄ネジ９のネジ頭部を回転させることによって、表示窓部４を簡単に剥離することができるので、両面粘着テープ４０１の粘着力以上の力で表示窓部４を前方へ押圧しなくても、前面パネル部２から表示窓部４を容易に剥離させることができる。
【００３８】
本実施例のオーディオ信号記録装置１は、表示窓部４を剥離しようとする場合、表示部６を円筒部７から取り外すことなく、前面パネル部２から表示窓部４を剥離することができる。このことにより、例えば、オーディオ信号記録装置１に用いた部材の内、表示窓部４のみをリサイクル活用のために分離しようとする場合、雄ネジ９をねじ込むことによって、表示窓部４のみを容易に分離させることができるので、剥離作業のために必要な時間を短縮することができる。
【００３９】
本実施例のオーディオ信号記録装置１は、孔７０１にシャフト８を挿入する構成としたが、表示窓部４を前面パネル部２から剥離する場合に、ネジ部の長さが平面部２０２の前面から円筒部７の裏面までの長さより長い雄ネジを孔７０１へねじ込み、当該雄ネジによって表示窓部４の裏面を前方へ押圧し、表示窓部４を前面パネル部２から剥離させる構成としても良い。このことにより、両面粘着テープ４０１の粘着力以上の力で表示窓部４を前方へ押圧しなくても、前面パネル部２から表示窓部４を容易に剥離させることができる。また、シャフト８を備える必要がないので、オーディオ信号記録装置１の製造コストを低減することができる。
【００４０】
本実施例のオーディオ信号記録装置１は、基板６０１に凹部６０３及び円盤部６０４を備える構成としたが、基板６０１に凹部６０３及び円盤部６０４を備えない構成とし、表示窓部４を剥離する場合は、表示部６を円筒部７から取り外し、再度、雄ネジ９を円筒部７の孔７０１へ挿入した後、基板６０１が介在していたときよりも深く雄ネジ９を孔７０１へねじ込むことによって、表示窓部４を剥離する構成としても良い。このことにより、基板６０１に凹部６０３を備える必要がないので、オーディオ信号記録装置１の製造コストを低減することができる。
【図面の簡単な説明】
【００４１】
【図１】本発明の一実施例のオーディオ信号記録装置を示す斜視図。
【図２】本実施例のオーディオ信号記録装置の前面パネル部、表示窓部及び表示部を示す斜視図。
【図３】前面パネル部２へ表示窓部４が貼付され、表示部６が円筒部７へ固定されている状態を示す断面図。
【図４】図３に示す状態から表示窓部４を前面パネル部２から剥離する様子を示す断面図。
【図５】従来のオーディオ信号記録装置の一例を示す斜視図。
【図６】従来のオーディオ信号記録装置１００の前面パネル部２００及び表示窓部４を示す図で、図６（ａ）は、円筒部７００から表示部６を取り外した後、前面パネル部２００に表示窓部４が貼付されている状態を示す断面図、図６（ｂ）は、図６（ａ）の状態から表示窓部４を前面パネル部２００から剥離する様子を示す断面図。
【符号の説明】
【００４２】
１  オーディオ信号記録装置、２  前面パネル部、２０１  開口部、２０２  平面部、
２０３  貫通孔、４  表示窓部、４０１  両面粘着テープ、
５  筐体、６  表示部、６０１  基板、６０２  孔、６０３  凹部、６０４  円盤部、
７  円筒部、７０１  孔、８  シャフト、９  雄ネジ、
１００  オーディオ信号記録装置、２００  前面パネル部、２０  剥離部材、
７００  円筒部、７１０  孔
【図１】
2006019681.tif 000003
【図２】
2006019681.tif 000004
【図３】
2006019681.tif 000005
【図４】
2006019681.tif 000006
【図５】
2006019681.tif 000007
【図６】
2006019681.tif 000008